(57)【特許請求の範囲】
【請求項１】
対物レンズと、
ベース部と、
前記ベース部の底部に取り付けられ、光源を装着するランプソケットと、
前記光源から出射された光を集光するための集光レンズユニットを有し、前記ベース部に対して着脱可能であり、前記ベース部に装着したとき前記ベース部の前方から前記ランプソケットの上方にかけた領域を覆い、前記ベース部から取り外したとき前記ベース部の前方から前記ランプソケットの上方にかけた領域を露出させる蓋部材とを備えることを特徴とする正立顕微鏡。
【請求項２】
前記ベース部は上方へ開口するＵ字状断面を有することを特徴とする請求項１に記載の正立顕微鏡。
【請求項３】
前記観察者側から見て前記ベース部の奥側に配置されるスタンド部に、焦準ハンドルを備える上下動ユニットが設けられていることを特徴とする請求項１又は２記載の正立顕微鏡。
【発明の詳細な説明】
【０００１】
【発明の属する技術分野】
この発明は正立顕微鏡に関する。
【０００２】
【従来の技術】
図４は従来の正立顕微鏡の一部を断面で示した側面図である。
【０００３】
この正立顕微鏡１０１は、ベース部１１０と、スタンド部１２０と、焦準用上下動機構１４０とを備えている。
【０００４】
ベース部１１０は下方へ開放するＵ字状をしている。ベース部１１０の下面は底板１１０ａによって塞がれている。
【０００５】
この底板１１０ａによって形成された空間部Ｓには光源用ランプ１１３が内蔵されている。光源用ランプ１１３は対物レンズ１２１の光軸上に位置する。
【０００６】
この光源用ランプ１１３はソケット固定板１１１によって支持されたランプソケット１１２に装着されている。ソケット固定板１１１は底板１１０ａの一部を構成する開閉蓋１１５にビス（図示せず）等によって固着されている。
【０００７】
開閉蓋１１５の一端は軸１１６を介して底板１１０ａに回転可能に支持され、他端はビス１１７によってベース部１１０に固着されている。
【０００８】
一方、ベース部１１０の上面１１０ｄには集光レンズ部１３０が設けられ、集光レンズ部１３０は対物レンズ１２１の光軸上に位置する。
【０００９】
スタンド部１２０はベース部１１０の端部に設けられ、焦準用上下動部１４０を駆動する焦準用ハンドル１５３を備えている。
【００１０】
焦準用上下動機構１４０はクロスローラレース、ボールレース又はアリ溝等の直線ガイド機構（図示せず）によってスタンド部１２０に沿って上下動可能に支持され、ステージ１６６を備えている。
【００１１】
この焦準用上下動機構１４０はラック・ピニオン（図示せず）を介して焦準用ハンドル１５３に接続され、焦準用ハンドル１５３を回転させることによってステージ１６６を上下動させる。
【００１２】
【発明が解決しようとする課題】
ところで、この正立顕微鏡１０１では、切れた光源用ランプ１１３を交換するとき、▲１▼顕微鏡１０１を後方又は側方へ倒し、▲２▼開閉蓋１１５を止めているビス１１７を外し、▲３▼開閉蓋１１５を開いてランプソケット１１２（ランプ１１３）を空間部Ｓから引き出す必要があった。
【００１３】
そのため、光源用ランプ１１３の交換は面倒なだけでなく、顕微鏡１０１を倒したとき、誤ってステージ１６６、焦準用ハンドル１５３、鏡筒１２４又は電源コード等を机にぶつけて損傷させてしまうおそれがあった。
【００１４】
また、焦準用上下動機構１４０、焦準用ハンドル１５３、集光レンズユニット１３０及びランプソケット１１２等を所定の順序でスタンド部１２０やベース部１１０に組み込まなければならず、組立性（生産性）が悪かった。
【００１５】
更に、焦準用上下動機構１４０と焦準用ハンドル１５３とがスタンド部１２０に設けられているため、焦準用ハンドル１５３はステージハンドル（図示せず）より後方の机上面から離れた高い位置にある。
【００１６】
そのため、焦準用ハンドル１５３やステージハンドルを机上に手を置いたままでは操作し難く、操作性が悪かった。
【００１７】
この発明はこのような事情に鑑みてなされたもので、その課題は光源用ランプの交換が容易であるとともに、生産性、操作性に優れた正立顕微鏡を提供することである。
【００１８】
【課題を解決するための手段】
上記課題を解決するため請求項１記載の発明は、対物レンズと、ベース部と、  前記ベース部の底部に取り付けられ、光源を装着するランプソケットと、前記光源から出射された光を集光するための集光レンズユニットを有し、前記ベース部に対して着脱可能であり、前記ベース部に装着したとき前記ベース部の前方から前記ランプソケットの上方にかけた領域を覆い、前記ベース部から取り外したとき前記ベース部の前方から前記ランプソケットの上方にかけた領域を露出させる蓋部材とを備えることを特徴とする。
【００１９】
蓋部材をベース部の上部から外すだけで、ベース部に内蔵されている光源用ランプを露出させることができる。また、ベース部の上部に焦準用上下動機構を蓋部材とともに設けることができる。
【００２０】
請求項２に記載の発明は、請求項１記載の正立顕微鏡において、前記ベース部は上方へ開口するＵ字状断面を有することを特徴とする。
【００２１】
ほぼＵ字状断面にしたので、底部を厚くすることなくベース部の強度を向上させることができる。
【００２３】
ランプが切れたとき、集光ユニットを設けた蓋部材をベース部から取り外すだけでベース部の底部に設けられたソケットを露出させることができる。
【００２４】
請求項３に記載の発明は、請求項１又は２記載の正立顕微鏡において、前記観察者側から見て前記ベース部の奥側に配置されるスタンド部に、焦準ハンドルを備える上下動ユニットが設けられていることを特徴とする。
【００２５】
上下動ユニットを蓋部材とともにスタンド部とは別体のユニットとして構成して、各ユニットを顕微鏡本体とは別個に組立てることができる。また、上下動ユニットをスタンド部より観察者側かつ低い位置に配置することができる。
【００２６】
【発明の実施の形態】
以下、この発明の実施の形態を図面に基づいて説明する。
【００２７】
図１、２はこの発明の一実施形態に係る正立顕微鏡の一部を断面で示した側面図、図３は図２のＡ方向から見た正立顕微鏡の一部拡大図である。なお、図１は集光レンズユニットが取り付けられたときを、図２は集光レンズユニットが取り外されたときを示す図である。
【００２８】
正立顕微鏡１は、ベース部１０と、スタンド部２０、集光レンズユニット３０と、上下動ユニット４０とを備える。
【００２９】
ベース部１０は板状の底板部（底部）１０ａとこの底板部１０ａの両端縁から立ち上がる側板部１０ｂ，１０ｃとで形成される上方へ開口するほぼＵ字状断面を有している。
【００３０】
底板部１０ａにはソケット固定板１１がビス（図示せず）によって取り付けられ、ソケット固定板１１には光源用ランプ１３を装着したソケット１２が取り付けられている。
【００３１】
光源用ランプ１３は対物レンズ２１の光軸上に配置され、スタンド部２０に配置された電源（図示せず）から電力が供給されている。
【００３２】
対物レンズ２１はスタンド部２０に取り付けられたレボルバ２２に複数個装着され、選択的に光軸上に配置される。なお、スタンド部２０の上端にはレボルバ２２の上方に接眼レンズ２３を有する鏡筒２４が設けられているとともに、下端には上下動ユニット４０に前後方向に対向する蓋２５が設けられている。
【００３３】
集光レンズユニット３０は蓋部材３１に設けられ、上下方向に連なる複数のレンズ３２ａ，３２ｂを備える。蓋部材３１はガイド及び位置決め部（いずれも図示せず）によってベース部１０に着脱可能に設けられている。これらのレンズ３２ａ，３２ｂの光軸は対物レンズ２１の光軸に一致している。
【００３４】
上下動ユニット４０は焦準用上下動部本体５０と上下動部材６０とを備える。
【００３５】
焦準用上下動部本体５０はスタンド部２０に複数のボルト５５によって固着されている。ボルト５５はスタンド部２０の蓋２５を開けて顕微鏡１の後方から締め付けられる。
【００３６】
焦準用上下動部本体５０には上下方向へ延びるクロスローラガイド等のメスレース５１ａが形成され、上下動部材６０にはメスレース５１ａに摺動可能なオスレース６１ａが形成されている。
【００３７】
また、上下動部材６０に形成された上下方向へ延びる溝と焦準用上下動部本体５０に形成された上下方向へ延びる対向する溝との間に複数のローラ６５が配置されている。
【００３８】
この上下動ユニット４０によって上下動部材６０は焦準用上下動部本体５０に沿って直線的に上下方向へ移動できる。
【００３９】
また、上下動部材６０は標本を載せるためのステージ６６を支持している。この上下動部材６０のスタンド部２０側にはラック６２が形成されている。
【００４０】
このラック６２は、焦準用上下動部本体５０に回転可能に設けられた回転軸５２に設けられたピニオン５２ａと噛合している。
【００４１】
回転軸５２には焦準用ハンドル５３が一体的に設けられ、焦準用ハンドル５３の回転によってピニオン５２ａが回転する。焦準用上下動部本体５０、回転軸５２及び焦準用ハンドル５３で焦準用ハンドルユニットが構成される。
【００４２】
この実施形態によれば、光源用ランプ１３が切れたとき、蓋部材３１をベース１０から取り外すだけでベース部１０の底部のソケット１２を露出させることができるので、容易にランプ１３を交換することができる（図２参照）。
【００４３】
このとき、従来例のように顕微鏡を倒す必要がなく立てたままで良いので、ステージ６６、焦準用ハンドル５３、鏡筒２４又は電源コード（図示せず）等を机にぶつけて損傷させてしまうおそれがない。
【００４４】
また、集光レンズユニット３０、上下動ユニット４０及び焦準用ハンドルユニット等はスタンド部２０と別体であるので、各ユニットをスタンド部２０やベース部１０で構成される顕微鏡本体とは別個に組み立てておくことができる。このとき、上下動ユニット４０を顕微鏡を倒すことなく顕微鏡の後方からスタンド部２０に固着することができる。
【００４５】
そのため、各ユニットを効率良く顕微鏡本体に組み込むことができ、生産性を向上させることができる。
【００４６】
更に、焦準用ハンドル５３をスタンド部２０でなく上下動ユニット４０に設けているため、焦準用ハンドルを顕微鏡の中間部の観察者から左右等距離の低い位置にすることができる。
【００４７】
そのため、焦準用ハンドル５３やステージハンドル（図示せず）を机上に手を置いたままで身体をひねることなく操作できる優れた操作性を得ることができる。
【００４８】
なお、焦準用ハンドル５３がステージハンドルの近傍に配置されるので、焦準ハンドル５３とステージハンドルとの操作を片手で同時に行うこともできる。
【００４９】
また、ベース部１０がＵ字状であるので強度が高まり、底板部１０ａの厚さを薄くすることができる。
【００５０】
【発明の効果】
以上に説明したように請求項１に記載の発明の正立顕微鏡によれば、顕微鏡を倒すことなく立てたまま光源用ランプを容易に交換することができ、しかもステージや焦準用ハンドル等を損傷させることがなく、生産性、操作性も向上する。
【００５１】
請求項２に記載の発明の正立顕微鏡によれば、底部を厚くすることなくベース部の強度を向上させることができる。
【００５２】
請求項３に記載の発明の正立顕微鏡によれば、蓋部材を外すだけでベース部の上方からベース部の底部のソケットに装着されたランプを容易に交換することができる。
【００５３】
請求項４に記載の発明の正立顕微鏡によれば、上下動ユニットを効率良く顕微鏡本体に組み込むことができ、生産性をより向上させることができる。また、焦準用ハンドルとステージハンドルとを対称の位置に設けて机上に手を置いたまま焦準操作やステージ位置の調整を行うことができ、操作性が向上する。
【図面の簡単な説明】
【図１】図１はこの発明の一実施形態に係る正立顕微鏡の一部を断面で示した側面図であり、集光レンズユニットが取り付けられたときを示す図である。
【図２】図２はこの発明の一実施形態に係る正立顕微鏡の一部を断面で示した側面図であり、集光レンズユニットが取り外されたときを示す図である。
【図３】図２のＡ方向から見た正立顕微鏡の一部拡大図である。
【図４】図４は従来の正立顕微鏡の一部を断面で示した側面図である。
【符号の説明】
１  正立顕微鏡
１０  ベース部
１０ａ  底板部（底部）
１２  ソケット
１３  ランプ
２１  対物レンズ
３０  集光ユニット
３１  蓋部材
４０  上下動ユニット
５３  焦準用ハンドル
【図１】
0004534177.tif 000002
【図２】
0004534177.tif 000003
【図３】
0004534177.tif 000004
【図４】
0004534177.tif 000005